(57)【要約】      （修正有）【課題】液晶を搭載したファインダーユニット構成において、異物侵入を低減可能な構成を提供すること。【解決手段】表示部材と、非導電樹脂によって形成された前記表示部材を保持する保持部材と、プリズムと、前記プリズムを保持するプリズム保持部材と、前記表示部材を制御する制御基板と、前記保持部材と前記制御基板とを接続する接続部材とを有し、前記保持部材には導電パターンが配線されており、前記表示部材の外形には液晶導体露出部が設けられ、前記保持部材には、前記表示部材の１辺に対向する辺に突形状が１点と、隣接する１辺に突形状が２点設けられており、前記突形状には前記導電パターンが設けられており、前記表示部材の前記突形状と対応する箇所には前記液晶導体露出部が設けられ、前記保持部材の前記導電パターンと、前記制御基板とを前記接続部材によって接触させることで前記表示部材と前記制御基板を接続させることを特徴とする。【選択図】図６
2017116617.tif 000002
【特許請求の範囲】
【請求項１】
撮像素子（１１）と、
表示部材（２１）と、
非導電樹脂によって形成された前記表示部材（２１）を保持する保持部材（２０）と、
プリズム（２４）と、
前記プリズム（２４）を保持するプリズム保持部材（２３）と、
前記表示部材（２１）を制御する制御基板（４０）と、
前記保持部材（２０）と前記制御基板（４０）とを接続する接続部材（３０、３１）とを有し、
前記表示部材（２１）は、前記保持部材（２０）と前記プリズム（２４）と前記プリズム保持部材（２３）が組み合わさることで形成される開口部の無い密閉空間（５０）内部に、前記保持部材（２０）によって保持され、
前記保持部材（２０）には導電パターン（１００）が配線されており、
前記表示部材（２１）の外形には液晶導体露出部（２００）が設けられ、
前記表示部材（２１）は矩形状であり、
前記保持部材（２０）には、前記表示部材（２１）の１辺に対向する辺に突形状（２０ｃ）が１点と、隣接する１辺に突形状（２０ｃ）が２点設けられており、
前記突形状（２０ｃ）３点に対して、前記表示部材（２１）を突き当てることで、前記表示部材（２１）の位置決めをおこない、
前記突形状（２０ｃ）には前記導電パターン（１００）が設けられており、
前記表示部材（２１）の前記突形状（２０ｃ）と対応する箇所には前記液晶導体露出部（２００）が設けられ、
前記突形状（２０ｃ）３点に対して、前記表示部材（２１）を突き当てることで、前記表示部材（２１）と前記保持部材（２０）とを電気的に接続させ、
前記保持部材（２０）の前記導電パターン（１００）と、前記制御基板（４０）とを前記接続部材（３０、３１）によって接触させることで前記表示部材（２１）と前記制御基板（４０）を接続させることを特徴とする撮像装置。
【請求項２】
前記保持部材（２０）の前記突形状（２０ｃ）３点に対して前記表示装置（２１）を突き当てる方向に付勢する第１の付勢手段（２８）を設けることを特徴とする請求項１に記載の撮像装置。
【請求項３】
撮像素子（１１）と、
表示部材（２１）と、
非導電樹脂によって形成された前記表示部材（２１）を保持する保持部材（２０）と、
プリズム（２４）と、
前記プリズム（２４）を保持するプリズム保持部材（２３）と
前記表示部材（２１）を制御する制御基板（４０）と、
前記保持部材（２０）と前記制御基板（４０）とを接続する接続部材（３０、３１）とを有し、
前記表示部材（２１）は、前記保持部材（２０）と前記プリズム（２４）と前記プリズム保持部材（２３）が組み合わさることで形成される開口部の無い密閉空間（５０）内部に、前記保持部材（２０）によって保持され、
前記保持部材（２０）には導電パターン（１００）が配線されており、
前記表示部材（２１）の外形には液晶導体露出部（２００）が設けられ、
前記表示部材（２１）は大ガラス（２１ｂ）と小ガラス（２１ｃ）が貼りあわされることで構成され、
前記大ガラス（２１ｂ）の面の、前記小ガラス（２１ｃ）が貼りあわされていない箇所に前記液晶導体露出部（２００）が設けられ、
前記保持部材（２０）の、前記液晶導体露出部（２００）との対向部には前記導電パターン（１００）が設けられており、
前記保持部材（２０）の前記導電パターン（１００）と前記表示部材（２１）の前記液晶導体露出部（２００）が接触することで、前記表示部材（２１）と前記保持部材（２０）の電気的接続をとり、
前記保持部材（２０）の前記導電パターン（１００）と、前記制御基板（４０）とを前記接続部材（３０、３１）によって接触させることで前記表示部材（２１）と前記制御基板（４０）を接続させることを特徴とする撮像装置。
【請求項４】
前記表示部材（２１）の前記液晶導体露出部（２００）を、前記保持部材（２０）の前記導電パターン（１００）に接触させる方向に付勢する第２の付勢手段（２９）が設けられており、前記付勢手段（２９）は、前記大ガラス（２１ｂ）の面には、前記小ガラス（２１ｃ）が貼りあわされていない領域に設けられることを特徴とする請求項３に記載の撮像装置。
【請求項５】
前記接続部材（３０、３１）は導電性の弾性部材（３０）であり、前記保持部材（２０）の外側側面部（２０ｄ）には前記導電パターン（１００）が配線されている凹形状（２０ｅ）が設けられており、前記弾性部材（３０）は前記凹形状（２０ｅ）に保持され、前記弾性部材（３０）の一端は前記導電パターン（１００）と接触させ、もう一端は前記制御基板（４０）に設けられた基板導体露出部（４００）と接触させることで、前記保持部材（２０）と前記制御基板（４０）の電気的接続をとることを特徴とする請求項１乃至請求項４の何れか一項に記載の撮像装置。
【請求項６】
前記接続部材（３０、３１）はフレキシブルプリント基板（３１）であり、前記保持部材（２０）の外側側面部（２０ｄ）には、第１のコネクタ（４１）が実装されており、前記制御基板（４０）には、第２のコネクタ（４２）が実装されており、前記フレキシブルプリント基板（３１）の一方の端子部は、前記第１のコネクタ（４１）に挿入され、もう一方の端子部は前記第２のコネクタ（４２）に挿入されることで、前記保持部材（２０）と前記制御基板（４０）の電気的接続をとることを特徴とする請求項１乃至請求項４の何れか一項に記載の撮像装置。
【発明の詳細な説明】
【技術分野】
【０００１】
本発明は、撮像装置に関し、特にファインダー内液晶の保持構成に関する。
【背景技術】
【０００２】
近年、ファインダーユニット内に、カメラ設定情報やカメラ状態を表示可能なファインダー内液晶を搭載した構成のデジタルカメラが開発されている。具体的には、図１０に記載しているように、ファインダーユニット内にＰＮ液晶を搭載している。図１０はファインダーユニット内にＰＮ液晶を搭載したカメラの、従来のファインダー構成について示した図である。ＰＮ液晶を搭載することで、ＰＮ液晶に、測距点表示、カメラの水平状態を表す水準器表示、カメラ設定表示等を表示させ、ユーザーがファインダーを覗きながら、カメラの設定や状態を確認できるようにする技術が知られている。
【０００３】
また従来、光学ファインダーユニットを備えたデジタルカメラ等の撮像装置において、ユニット内部に異物があると視野内に異物が写りこむ恐れがあるため、ファインダーユニット内部への異物侵入を低減させる構成が知られている。
【０００４】
特許文献１には、視野表示部材を駆動可能なファインダーユニットにおいて、視野表示部材と視野表示部材を駆動させる駆動部材との連結部を密閉手段にて覆うことで、ファインダーユニット内への異物の侵入を低減させる構成が開示されている。
【０００５】
また、液晶が搭載されたファインダーユニットの密閉構成としては、図１０で示すように、液晶駆動用の電送部品８０の通り道となる開口部に、ポロン等の封止用部品９０を設けることでファインダーユニット内部を密閉空間とする技術が知られている。
【先行技術文献】
【特許文献】
【０００６】
【特許文献１】特開平８−１３６９８２号公報
【発明の概要】
【発明が解決しようとする課題】
【０００７】
しかしながら、上述の特許文献１に開示された従来技術では、ファインダーユニット内部に液晶が搭載された場合の、異物侵入の可能性を低減させる構成については述べられていない。特許文献１の構成に液晶を搭載する場合には、図１０で示すように、ファインダーユニット内の液晶と、制御基板とを接続させる液晶駆動用の電送部品８０が必要となり、ファインダーユニットに電送部材８０の通り道となる開口部を設けることになる。その結果、密閉構成とすることができないため、異物がファインダーユニット内部に侵入してしまう恐れがある。
【０００８】
上記の構成で開口部をふさぐためには、図１０で示す、封止用部品９０を設ける必要があり、部品点数が増えてしまう。また、封止用部材９０で封止したとしても、電送部材８０はフレキシブルプリント基板等の部材であり、曲げた状態で保持されることがあるため、封止用部品９０が電装部品８０の曲げによる反力によって変形してしまい、正確に密閉できない恐れもある。
【０００９】
そこで、本発明の目的は、液晶を搭載したファインダーユニット構成において、異物侵入の可能性を低減可能な構成を提供することにある。
【課題を解決するための手段】
【００１０】
上記の目的を達成するために、本発明に係る撮像装置は、
撮像素子（１１）と、表示部材（２１）と、非導電樹脂によって形成された前記表示部材（２１）を保持する保持部材（２０）と、プリズム（２４）と、前記プリズム（２４）を保持するプリズム保持部材（２３）と、前記表示部材（２１）を制御する制御基板（４０）と、前記保持部材（２０）と前記制御基板（４０）とを接続する接続部材（３０、３１）とを有し、前記表示部材（２１）は、前記保持部材（２０）と前記プリズム（２４）と前記プリズム保持部材（２３）が組み合わさることで形成される開口部の無い略密閉空間（５０）内部に、前記保持部材（２０）によって保持され、前記保持部材（２０）には導電パターン（１００）が配線されており、前記表示部材（２１）の外形には液晶導体露出部（２００）が設けられ、前記表示部材（２１）は略矩形状であり、前記保持部材（２０）には、前記表示部材（２１）の１辺に対向する辺に突形状（２０ｃ）が１点と、隣接する１辺に突形状（２０ｃ）が２点設けられており、前記突形状（２０ｃ）３点に対して、前記表示部材（２１）を突き当てることで、前記表示部材（２１）の位置決めをおこない、前記突形状（２０ｃ）には前記導電パターン（１００）が設けられており、前記表示部材（２１）の前記突形状（２０ｃ）と対応する箇所には前記液晶導体露出部（２００）が設けられ、前記突形状（２０ｃ）３点に対して、前記表示部材（２１）を突き当てることで、前記表示部材（２１）と前記保持部材（２０）とを電気的に接続させ、前記保持部材（２０）の前記導電パターン（１００）と、前記制御基板（４０）とを前記接続部材（３０、３１）によって接触させることで前記表示部材（２１）と前記制御基板（４０）を接続させることを特徴とする。
【発明の効果】
【００１１】
本発明によれば、液晶を搭載したファインダーユニットにおいて、異物侵入の可能性を低減可能な構成を提供することができる。
【図面の簡単な説明】
【００１２】
【図１】本発明に係る、カメラの外観斜視図である。
【図２】本発明に係る、カメラのブロック図である。
【図３】本発明に係る、ファインダーユニットの分解斜視図である。
【図４】本発明に係る、ファインダーユニットの略密閉空間の構成について示す図である。
【図５】本発明に係る、ファインダー内液晶の保持方法について示す図である。
【図６】第１の実施例に係る、ファインダー内液晶と液晶保持部材との第１の接続方法について示す図である。
【図７】第１の実施例に係る、液晶保持部材と制御基板との第１の接続方法について示す図である。
【図８】第１の実施例に係る、液晶保持部材と制御基板との第２の接続方法について示す図である。
【図９】第２の実施例に係る、ファインダー内液晶と液晶保持部材との第２の接続方法について示す図である。
【図１０】ＰＮ液晶を搭載したファインダーユニットの従来の構成について示す図である。
【発明を実施するための形態】
【００１３】
以下、本発明の好適な実施形態について添付図面を参照して詳細に説明する。なお、以下の実施形態は特許請求の範囲に係る本発明を限定するものでなく、また本実施形態で説明されている特徴の組み合わせの全てが本発明の課題の解決に必須のものとは限らない。
【００１４】
本発明の第１の実施例に関して説明する。まずは、本実施例に係る機器本体としての、カメラ本体１の構成について説明する。
【００１５】
図１はカメラ本体１の外観を示す図である。図１（ａ）はカメラ本体１を被写体側から見た斜視図であり、図１（ｂ）はカメラ本体１を撮影者側から見た斜視図である。
【００１６】
カメラ本体１は撮像素子１１（図２参照）を有するデジタルカメラである。撮像素子１１は請求項に記載の撮像素子に相当する。カメラ本体１の背面には、撮像素子１１によって取得される画像や、各種設定画面等を表示する液晶表示装置（以下、ＴＦＴ２と称する）が設けられている。ＴＦＴ２にはタッチパネル３が設けられており、ユーザーのタッチ入力操作によってＴＦＴ２の表示切り換えや、レリーズ、カメラ本体１の各種設定変更を行うことができる。４は入力操作部４であり、タッチパネル３と同様にカメラ本体１に各種設定変更やカメラ電源のＯＮ／ＯＦＦ等や、表示の点灯開始といった入力操作を行う。背面上部にはファインダー接眼窓５が設けられている。
【００１７】
次に、本実施例に係るカメラ本体１の主要な構成について説明する。
【００１８】
図２は本実施例のカメラ本体１の主要な構成を示すブロック図である。
【００１９】
前述した撮像素子１１で得られた画像信号はマイクロコンピュータ１０（以下、ＭＰＵ１０と称す）で処理される。ＭＰＵ１０は、後述する制御基板４０に実装されている。制御基板４０は請求項に記載の制御基板に相当する。取得された画像信号は、表示制御部１２によってＴＦＴ２に表示される。また、表示制御部１２は、タッチパネル３や入力操作部４によって入力操作された各種設定情報をＴＦＴ２や後述するファインダー内液晶２１に表示する。１３は入力操作制御部１３であり、タッチパネル３や入力操作部４による入力をＭＰＵ１０に伝達する。
【００２０】
次に、本実施例に係るファインダーユニットの構成について説明する。
【００２１】
図３は本実施例のファインダーユニットの主要な構成を示す図である。
【００２２】
液晶保持部材２０は、ファインダー内液晶２１、不図示の発光部材による光を拡散する導光部材２５、ピント板２２を保持する。液晶保持部材２０は請求項に記載の保持部材に相当し、ファインダー内液晶２１は請求項に記載の表示部材に相当する。ファインダー内液晶２１は、測距点表示、カメラの水平状態を表す水準器表示、カメラ設定表示等の表示を行い、ユーザーがファインダーを覗きながら、カメラの設定や状態を確認できるようにする。ファインダー内液晶２１の詳細な保持方法に関しては後述する。
【００２３】
液晶保持部材２０は、非導電樹脂によって成形され、表面にはめっき等の金属膜で導体パターン１００（回路・電極）が形成される、いわゆる筺体配線がなされており、ファインダー内液晶を駆動するための導電パターン１００が配線されている。導電パターン１００は請求項に記載の導電パターンに相当する。導電パターン１００の詳細と、ファインダー内液晶２１と液晶保持部材２０との電気的な接続方法の詳細については後述する。
【００２４】
プリズム保持部材２３は、ペンタプリズム２４や接眼レンズ群２７を保持する。プリズム保持部材２３は、請求項に記載のプリズム保持部材に相当し、ペンタプリズム２４は請求項に記載のプリズムに相当する。ファインダーユニットには第１のマスク２６ａ、第２のマスク２６ｂ、第３のマスク２６ｃのように、複数のマスクが設けられており、それぞれ液晶保持部材２０とプリズム保持部材２３に保持される。
【００２５】
液晶保持部材２０、プリズム保持部材２３、ペンタプリズム２４、ファインダー内液晶２１が組み合わさることによって形成される、ファインダー内液晶２１を保持する空間は、略密閉空間５０となる。略密閉空間５０は請求項に記載の略密閉空間に相当する。
【００２６】
略密閉空間５０を構成する詳細について説明する。
【００２７】
図４はファインダー内液晶２１を保持する空間を略密閉空間５０とする構成について示す図であり、略密閉空間５０の構成に係る部品についてのみ示している。図４（ａ）は組立後のファインダーユニットを示す図であり、図４（ｂ）は略密閉空間５０の構成について示す、図４（ａ）のＡ−Ａ断面を示す図である。
【００２８】
図４（ｂ）で示すように、ペンタプリズム２４とプリズム保持部材２３が組み合わされることで、ペンタプリズム２４の下面２４ａとプリズム保持部材２３の上面２３ａが全周当接する。その結果、ペンタプリズム２４とプリズム保持部材２３の当接部は封止される。プリズム保持部材２３と液晶保持部材２０が組み合わされることで、プリズム保持部材２３の下面２３ｂと液晶保持部材２０の上面２０ａが全周当接する。その結果、液晶保持部材２３と液晶保持部材２０の当接部は封止される。液晶保持部材２０とファインダー内液晶２１が組み合わされることで、液晶保持部材２０の液晶固定面２０ｂとファインダー内液晶２１の下面２１ａが全周当接する。その結果、液晶保持部材２０とファインダー内液晶２１の当接部は封止される。上述したように、液晶保持部材２０、プリズム保持部材２３、ペンタプリズム２４、ファインダー内液晶２１の各当接部が封止されることで、ファインダー内液晶２１を保持する空間は、略密閉空間５０となる。
【００２９】
次に、ファインダー内液晶２１の保持方法について説明する。
【００３０】
図５はファインダー内液晶２１を液晶保持部材２０に保持する方法について示した図である。
【００３１】
液晶保持部材２０の、ファインダー内液晶２１の短辺に対応する辺には、位置決め用の突形状２０ｃが２点設けられており、長辺に対応する辺には、突形状２０ｃが１点設けられている。突形状２０ｃは請求項に記載の突形状に相当する。３点の突形状２０ｃに対してファインダー内液晶２１を突き当て、樹脂ばね２８にて突き当て方向に付勢することで、ファインダー内液晶２１の位置決めをする。樹脂ばね２８は請求項記載の第１の付勢部材に相当する。付勢した状態で、不図示の両面テープによってファインダー内液晶２１と液晶保持部材２０を固定しても構わない。また、突形状２０ｃの配置を短辺側２点、長辺側１点と記載したが、短辺側１点、長辺側２点であっても構わない。
【００３２】
液晶保持部材２０とファインダー内液晶２１の、第１の電気的な接続方法について説明する。
【００３３】
図６はファインダー内液晶２１を液晶保持部材２０の、第１の電気的な接続方法について示した図である。図６（ａ）は液晶保持部材２０に配線された導電パターン１００について示す図であり、図６（ｂ）はファインダー内液晶２１を液晶保持部材２０の電気的な接続を示すための、図６（ａ）のＡ−Ａ断面の電気的接続部を拡大した図である。図６（ｃ）は導電パターン１００の配線経路を示す図である。
【００３４】
図６（ａ）で示すように、突形状２０ｃのファインダー内液晶２１との接触面には、導電パターン１００が設けられており、導電パターン１００は、液晶保持部材２０表面に配線されている。図６（ｂ）で示すように、導電パターン１００と、ファインダー内液晶２１側面の導体露出部２００とを接触させることで、液晶保持部材２０とファインダー内液晶２１とを電気的に接続させる。導体露出部２００は請求項に記載の液晶導体露出部に相当する。図６（ｃ）で示すように、導体パターン１００は、突形状２０ｃから図中斜線部の外側側面部２０ｄへと液晶保持部材２０の表面を経由して配線される。外側側面部２０ｄは請求項に記載の外側側面部に相当する。
【００３５】
次に、液晶保持部材２０と制御基板４０の、第１の電気的な接続方法について説明する。
【００３６】
図７は液晶保持部材２０と制御基板４０の、第１の電気的な接続について示した図である。
【００３７】
液晶保持部材２０の外側側面部２０ｄには、凹部２０ｅが設けられており、凹部２０ｅには導電パターン１００が設けられている。凹部２０ｅは請求項記載の凹形状に相当する。凹部２０ｅに、導電性弾性部材３０を入れることで、弾性部材３０の位置決めを行う。導電性弾性部材３０は請求項に記載の接続部材に相当する。導電性弾性部材３０の一端は凹部２０ｅに設けられた導電パターン１００と接触させ、対向する一端は、制御基板４０の導体露出部４００と接触させることで、液晶保持部材２０と制御基板４０を電気的に接続させる。導体露出部４００は、請求項に記載の基板導体露出部に相当する。制御基板４０は、不図示の本体部品にビス止め等で保持されるが、保持状態で導電性弾性部材３０を液晶保持部材２０の方向に付勢される状態とすれば、弾性部材３０は常に電気的接続方向へ付勢されている状態となるため接続信頼性を向上させることが可能である。
【００３８】
次に、液晶保持部材２０と制御基板４０の、第２の電気的な接続方法について説明する。
【００３９】
図８は液晶保持部材２０と制御基板４０の第２の電気的な接続について示した図である。
【００４０】
液晶保持部材２０の外側側面部２０ｄに、配線された導電パターン１００上にコネクタ４１が実装されている。コネクタ４１は請求項記載の第１のコネクタに相当する。また、制御基板４０にも、コネクタ４２が実装されており、フレキシブルプリント基板３１の一端をコネクタ４１に、もう一端をコネクタ４２に接続させることで、液晶保持部材２０と制御基板４０とを電気的に接続させる。コネクタ４２は請求項記載の第２のコネクタに相当し、フレキシブルプリント基板３１は請求項に記載の接続部材に相当する。
【００４１】
上記、第１の電気的接続と第２の電気的接続はどちらを用いても構わない。上記の接続を持つことで、ファインダー内液晶２１と制御基板４０を電気的に接続することが可能となる。
【００４２】
上述した第１の実施例の構成では、液晶保持部材２０に導電パターン１００が形成されており、ファインダー内液晶２１を駆動するための送電部品を設ける必要が無いため、液晶保持部材２０に送電部品の通り道となる開口部を設ける必要が無い。その結果、略密閉空間５０を形成でき、外部からの異物侵入の可能性を低減させることができる。
【００４３】
また、液晶保持部材２０とファインダー内液晶２１との突き当て部に電気的接続部を設けることで、ファインダーユニット組立後に、電気的接続を確認することで、正確に突き当てられた状態で組立てられているか否かを確認することが可能となる。
【００４４】
次に、本発明の第２の実施例に関して、第１の実施例と異なる液晶保持部材２０とファインダー内液晶２１の、電気的な接続方法についてのみ説明する。
【００４５】
まず、液晶保持部材２０とファインダー内液晶２１の、第２の電気的な接続方法について説明する。
【００４６】
図９はファインダー内液晶２１を液晶保持部材２０の第２の電気的な接続について示した断面図である。
【００４７】
図９で示すように、ファインダー内液晶２１は、大ガラス２１ｂと小ガラス２１ｃが貼りあわされて構成されている。大ガラス２１ｂは請求項に記載の大ガラスに相当し、小ガラス２１ｃは請求項記載の小ガラスに相当する。ファインダー内液晶２１の導体露出部２００は大ガラス２１ｂ面の小ガラス２１ｃが貼りあわされていない領域に設けられる。液晶保持部材２０には、導体露出部２００の対向面に導電パターン１００が設けられている。導電パターン１００と導体露出部２００を接触させることで、ファインダー内液晶２１と液晶保持部材２０を電気的に接続させる。導体パターン１００は、実施例１と同様に液晶保持部材２０の外側側面部２０ｄへと液晶保持部材２０の表面を経由して配線される。弾性部材２９を、プリズム保持部材２３とファインダー内液晶２１の間に挟み込むように配置することで、ファインダー内液晶２１を液晶保持部材２０の方向へ付勢し、接続信頼性を向上させても構わない。弾性部材２９は請求項に記載の第２の付勢手段に相当する。また、導体露出部２００は、液晶保持部材２０の突形状２０ｃが２点ある辺と対応する辺に設けることで、ファインダー内液晶２１を位置決めする際の角度ズレが低減できるため、より正確に電気的接続をとることが可能となる。
【００４８】
上述した、第２の実施例の構成では、第１の実施例と同様に、液晶保持部材２０に導電パターン１００が形成されており、ファインダー内液晶２１を駆動するための送電部品を設ける必要が無い。そのため、液晶保持部材２０に送電部品の通り道となる開口部を設ける必要が無い。その結果、略密閉空間５０を形成でき、外部からの異物侵入の可能性を低減させることができる。また、第２の実施例では、液晶保持部材２０とファインダー内液晶２１の接触面積が第１の実施例よりも大きいため、多くの信号線をファインダー内液晶２１に接続することが出来る。
【００４９】
また、第１の実施例に記載の第１の接続方法と、第２の実施例に記載の第２の接続方法を併用しても構わない。そうすることで、ファインダーユニット組立後に、電気的接続を確認することで、正確に突き当てられた状態で組立てられているか否かを確認することが可能となる。また、第１の接続方法もしくは、第２の接続方法どちらか一つの接続の場合よりも、より多くの信号線をファインダー内液晶２１に接続することが可能となる。
【００５０】
以上、ファインダー内液晶２１を搭載したファインダーユニットにおいて異物侵入の可能性を低減可能な構成を提供することができる。
【符号の説明】
【００５１】
１  カメラ本体、１０  ＭＰＵ、２０  液晶保持部材、２０ｃ  突形状、
２１  ファインダー内液晶、４０  制御基板、１００  導電パターン、
２００  導体露出部
【図１】
2017116617.tif 000003
【図２】
2017116617.tif 000004
【図３】
2017116617.tif 000005
【図４】
2017116617.tif 000006
【図５】
2017116617.tif 000007
【図６】
2017116617.tif 000008
【図７】
2017116617.tif 000009
【図８】
2017116617.tif 000010
【図９】
2017116617.tif 000011
【図１０】
2017116617.tif 000012